(57)【要約】      （修正有）【課題】一般家屋等の屋根等を高圧洗浄機器等で洗浄するに流下する洗浄廃水あるいは自然雨水中の放射性物質等を捕集し、安全に除去・廃棄できる捕集除去具を提供する。【解決手段】洗浄によって除去した放射性物質等を洗浄廃水が流下する雨樋Ｐの途中で補集する捕集除去具とする。この捕集除去具は、雨樋Ｐにおける任意の箇所を切断除去した切断箇所の上流側である上方部分の下端に嵌め合わせるリング状の上部嵌合体２と、同じく雨樋Ｐの切断箇所の下流側である下方部分の上端に嵌め合わせるリング状の下部嵌合体６と、これらの上部嵌合体２、下部嵌合体６相互間で支持してセシウム等の放射性物質を捕集する捕集体１０とから形成する。捕集体１０は、放射性物質を捕捉・捕集するに足る孔径を備えた濾材１１を筐体１２内に充填封入して成り、上下部のリング状の嵌合体２，６によって雨樋Ｐにおける切断除去部位で雨樋Ｐに取り外し可能に置き換える。【選択図】図１
0003175097.tif 000002
【実用新案登録請求の範囲】
【請求項１】
自然雨水・洗浄廃水を排水案内させる排水管路の任意箇所で、自然雨水・洗浄廃水を通水させる捕集体を上流側支持手段、下流側支持手段を介して配置し、この捕集体内の濾材によって自然雨水・洗浄廃水中のセシウム等の放射性物質を捕集するようにしたことを特徴とする廃水用放射性物質の捕集除去具。
【請求項２】
捕集体は、放射性物質を捕捉・捕集するに足る孔径を備えた濾材を筐体内に充填封入して成る請求項１に記載の廃水用放射性物質の捕集除去具。
【請求項３】
自然雨水あるいは洗浄後の洗浄廃水中に含まれる放射性物質等をこれらが流下する雨樋の途中で補集する捕集除去具であって、雨樋における任意の箇所を切断除去して得た切断箇所の上流側である上方部分の下端に嵌め合わされるリング状の上部嵌合体と、同じく雨樋の切断箇所の下流側である下方部分の上端に嵌め合わされるリング状の下部嵌合体と、これらの上部嵌合体、下部嵌合体相互間で支持されることでセシウム等の放射性物質を捕集する捕集体とから成ることを特徴とする廃水用放射性物質の捕集除去具。
【請求項４】
上部嵌合体は、捕集体の上端部の縁部を囲繞するほぼドーナツ状に形成されていて、上端面の外縁部に沿っていると共に、内縁は雨樋の下端面に位置している細幅なドーナツ板状を呈する支持主片部と、捕集体の外周面に沿って外周面を囲繞するよう、支持主片部の外縁から垂設されている捕集支持片部と、雨樋の下端部の外周面に沿って外周面を囲繞するよう、支持主片部の内縁側に立設されている雨樋支持片部とから一体形成されている請求項３に記載の廃水用放射性物質の捕集除去具。
【請求項５】
下部嵌合体は、捕集体の下端部の縁部を囲繞するほぼドーナツ状に形成されていて、下端面の外縁部に沿っていると共に、内縁は雨樋の上端面に位置している細幅なドーナツ板状を呈する支持主片部と、捕集体の外周面に沿って外周面を囲繞するよう、支持主片部の外縁から立設されている捕集支持片部と、雨樋の上端部の外周面に沿って外周面を囲繞するよう、支持主片部の内縁側に立設されている雨樋支持片部とから一体形成されている請求項３または４に記載の廃水用放射性物質の捕集除去具。
【請求項６】
上部嵌合体あるいは下部嵌合体は、上下方向を反転することで下部嵌合体あるいは上部嵌合体として使用可能にし、また、捕集支持片部の内径は捕集体の外径に、雨樋支持片部の内径は雨樋の外径にそれぞれ対応してある請求項３乃至５のいずれかに記載の廃水用放射性物質の捕集除去具。
【請求項７】
捕集体の上部は前記上部嵌合体が、下部は前記下部嵌合体が連結介在されて雨樋における切断除去部位で雨樋に取り外し可能に置き換えられるようにしてあるてある請求項３乃至６のいずれかに記載の廃水用放射性物質の捕集除去具。
【請求項８】
自然雨水あるいは洗浄後の洗浄廃水中に含まれる放射性物質等をこれらが流下する排水管末部で捕集する捕集除去具であって、捕集体の上流側の開口部端面に当接する上流当接支持主片部に、外周面が排水管内壁面に当接し、内周面が捕集体の前端側外周面に当接支持する断面で溝形状の管内支持部をこの管内支持部の奥部壁を上流当接支持主片に連続させて成る管内支持体と、捕集体の下流側の開口部端面に当接する下流当接支持主片部に、外周面が排水管末部の開口部内壁面に当接し、内周面が捕集体の後端側外周面に当接支持する断面で溝形状の末部支持部をこの末部支持部の内周壁を下流当接支持主片部に連続させて成る末部支持体と、これらの管内支持体、末部支持体相互間で支持されることでセシウム等の放射性物質を捕集する捕集体とから成ることを特徴とする廃水用放射性物質の捕集除去具。。
【請求項９】
捕集体は、この捕集体の排水管内側の前端側は管内支持体が、捕集体の後端側は末部支持体が介装されることで排水管における末部内に取り外し可能に内装されるようにしてある請求項８に記載の廃水用放射性物質の捕集除去具。
【請求項１０】
自然雨水あるいは洗浄後の洗浄廃水中に含まれる放射性物質等をこれらが流下する排水管末部で捕集する捕集除去具であって、排水管の末部側で、外周面が排水管内壁面に当接し、内周面が捕集体の前端側の外周面を当接支持すると共に、前端側に排水管末部側に至るに伴い次第に小径となる案内テーパー面を形成したリング状の管内支持体と、排水管末部の開口端部で、開口端縁を挟み込む断面でＵ字状を呈すると共に、内縁によって捕集体の後端側を支持するリング状の末部支持体と、これらの管内支持体、末部支持体相互間で支持されることでセシウム等の放射性物質を捕集する捕集体とから成ることを特徴とする廃水用放射性物質の捕集除去具。
【請求項１１】
捕集体は、この捕集体の排水管内側の前端側は管内支持体が、捕集体の後端側は末部支持体が介装されることで排水管における末部内に取り外し可能に内装されるようにしてある請求項１０に記載の廃水用放射性物質の捕集除去具。
【考案の詳細な説明】
【技術分野】
【０００１】
この考案は、例えば一般家屋における屋根、雨樋等に付着堆積しているセシウム粒子等の放射性物質を洗浄機器等にて除去、洗浄したときの洗浄廃水中に含まれていたり、また自然雨水中に含まれていたりして、これらが雨樋、排水管等の排水管路を落水、流下するとき、その排水管路中で放射性物質等を捕集、除去し、そのまま排水させることで安全に処理できるようにすることで、公共的な下水道等に放射性物質を排出させずに済む廃水用放射性物質の捕集除去具に関する。
【背景技術】
【０００２】
２０１１年３月１１日に発生した東北地方太平洋沖地震（東日本大震災）によって、東北地方特にその太平洋岸においては津波が襲来し、これによって各地に甚大な被害がもたらされ、またその影響による機器の作動不能によって福島第１原子力発電所、同第２原子力発電所では原子炉に対する冷却処理を適切に遂行できない事態が生じた。そのために、原子炉建屋が爆発その他によって崩壊し、原子炉からの放射性物質が周囲に飛散する結果となった。この飛散した放射性物質は近隣県を含め各地で降灰し、例えば住宅街においては下水が集水される側溝等に堆積され、これを除去することが放射能汚染問題として早急に解決されなければならない緊急課題となっているのが現状である。
【０００３】
また、例えば一般家屋における屋根、雨樋等には自然に落下・降灰する放射性物質が付着堆積していることが十分に考えられ、これらを除去する必要がある。そのために高圧洗浄機器等で屋根、雨樋等を洗浄し、除去しても、これらの場所から流下する放射性物質を含んだ汚染された洗浄廃水が雨樋を経てそのまま公共下水道にいわゆる垂れ流されるとすれば、下流側の集水池等に堆積されるから、そこでの除去が必要となって根本的な解決にはならない。
【０００４】
こうした点を含め、従来、例えば特許文献１に示される流下雨水の異物除去構造及び流下雨水の分流管構造、特許文献２に示される雨水分離集水装置が提案されている。特許文献１の異物除去構造は、雨樋における縦樋の途中で、上側パイプ、下側パイプを連結する上下動可能な連結パイプを上側パイプの下端には遊嵌、下側パイプには遊挿して配置し、連結パイプ下部にフィルタを取外し可能に挿入して成る。特許文献２の分離集水装置は縦樋に通じる集水器を、フィルタ部を有する内筒を外筒にて覆い、内筒、外筒の間に形成した集水空間によって微細な粒子を分離し、縦樋によって排水するとして成る。
【先行技術文献】
【特許文献】
【０００５】
【特許文献１】特開平９−７８６３９号公報
【特許文献２】特開２００６−１０４８５１号公報
【考案の概要】
【考案が解決しようとする課題】
【０００６】
しかしながら、上述したような従来の異物除去構造、分離集水装置は、雨水中の微粒子を捕集し、除去できても、それを捕集したフィルタは交換するものとしてあるから、これらのフィルタが放射性物質によって汚染されている場合は、その交換作業は十分な防護服、防護マスク等を装用しなければ危険でもある。また、フィルタを交換できても、フィルタ支持材・部材等が汚染されていることには変わりはなく、これらの交換、除去も必要であるが、上述した従来のものではこれに対しては全く考慮されていない。
【０００７】
そこでこの考案は上述したような従来存した諸事情に鑑み案出されたもので、その目的は、主として一般家屋における屋根、雨樋等における放射性物質を洗浄、除去したときの洗浄廃水中、また自然雨水中に含まれる放射性物質等を捕集、除去すべく、雨樋の途中にあるいは公共下水道等に直接に接続される排水管中に一時的にでもセットしておき、例えば高圧洗浄機器による除去時に流下する洗浄廃水中の放射性物質を捕集でき、洗浄作業の終了後では取り外してそのまま除去・廃棄するものとし、取り外し後では雨樋等を補修することで従来同様な雨水処理を可能とさせる廃水用放射性物質の捕集除去具を提供することにある。
【課題を解決するための手段】
【０００８】
上述した課題を解決するため、後述する考案を実施するための形態における符号を付記して説明すると、この考案にあっては、自然雨水・洗浄廃水を排水案内させる排水管路（Ｐ，Ｑ）の任意箇所で、自然雨水・洗浄廃水を通水させる捕集体１０を上流側支持手段（２，２２，３２）、下流側支持手段（６，２５，３４）を介して配置し、この捕集体１０内の濾材１１によって自然雨水・洗浄廃水中のセシウム等の放射性物質を捕集するようにしてあることを特徴とする。
捕集体１０は、放射性物質を捕捉・捕集するに足る孔径を備えた濾材１１を筐体１２内に充填封入して構成することができる。
そして、具体的構造の一例は、自然雨水あるいは洗浄後の洗浄廃水中に含まれる放射性物質等をこれらが流下する雨樋Ｐの途中で補集する捕集除去具１であって、雨樋Ｐにおける任意の箇所を切断除去して得た切断箇所の上流側である上方部分の下端に嵌め合わされるリング状の上部嵌合体２と、同じく雨樋Ｐの切断箇所の下流側である下方部分の上端に嵌め合わされるリング状の下部嵌合体６と、これらの上部嵌合体２、下部嵌合体６相互間で支持されることでセシウム等の放射性物質を捕集する捕集体１０とから形成されて成ることを特徴とする。
上部嵌合体２は、捕集体１０の上端部の縁部を囲繞するほぼドーナツ状に形成されていて、上端面の外縁部に沿っていると共に、内縁は雨樋Ｐの下端面に位置している細幅なドーナツ板状を呈する支持主片部３と、捕集体１０の外周面に沿って外周面を囲繞するよう、支持主片部３の外縁から垂設されている捕集支持片部４と、雨樋Ｐの下端部の外周面に沿って外周面を囲繞するよう、支持主片部３の内縁側に立設されている雨樋支持片部５とから一体形成されることで構成することができる。
下部嵌合体６は、捕集体１０の下端部の縁部を囲繞するほぼドーナツ状に形成されていて、下端面の外縁部に沿っていると共に、内縁は雨樋Ｐの上端面に位置している細幅なドーナツ板状を呈する支持主片部７と、捕集体１０の外周面に沿って外周面を囲繞するよう、支持主片部７の外縁から立設されている捕集支持片部８と、雨樋Ｐの上端部の外周面に沿って外周面を囲繞するよう、支持主片部７の内縁側に立設されている雨樋支持片部９とから一体形成されることで構成することができる。
上部嵌合体２あるいは下部嵌合体６は、上下方向を反転することで下部嵌合体６あるいは上部嵌合体２として使用可能に構成することができ、また、捕集支持片部４，８の内径は捕集体１０の外径に、雨樋支持片部５，９の内径は雨樋Ｐの外径にそれぞれ対応して構成することができる。
捕集体１０の上部は前記上部嵌合体２が、下部は前記下部嵌合体６が連結介在されて雨樋Ｐにおける切断除去部位で雨樋Ｐに取り外し可能に置き換えられるようにして構成することができる。
また、自然雨水あるいは洗浄後の洗浄廃水中に含まれる放射性物質等をこれらが流下する排水管Ｑ末部で捕集する捕集除去具２１であって、捕集体１０の上流側の開口部端面に当接する上流当接支持主片部２３に、外周面が排水管Ｑ内壁面に当接し、内周面が捕集体１０の前端側外周面に当接支持する断面で溝形状の管内支持部２４をこの管内支持部２４の奥部壁を上流当接支持主片２３に連続させて成る管内支持体２２と、捕集体１０の下流側の開口部端面に当接する下流当接支持主片部２６に、外周面が排水管Ｑ末部の開口部内壁面に当接し、内周面が捕集体１０の後端側外周面に当接支持する断面で溝形状の末部支持部２７をこの末部支持部２７の内周壁を下流当接支持主片部２６に連続させて成る末部支持体２５と、これらの管内支持体２２、末部支持体２５相互間で支持されることでセシウム等の放射性物質を捕集する捕集体１０とから形成されて成ることを特徴とする。
捕集体１０は、この捕集体１０の排水管内Ｑ側の前端側は管内支持体２２が、捕集体１０の後端側は末部支持体２５が介装されることで排水管Ｑにおける末部内に取り外し可能に内装されるようにして構成することができる。
同じく捕集除去具３１であって、排水管Ｑの末部側で、外周面が排水管Ｑ内壁面に当接し、内周面が捕集体１０の前端側の外周面を当接支持すると共に、前端側に排水管Ｑ末部側に至るに伴い次第に小径となる案内テーパー面３３を形成したリング状の管内支持体３２と、排水管Ｑ末部の開口端部で、開口端縁を挟み込む断面でＵ字状を呈すると共に、内縁によって捕集体１０の後端側を支持するリング状の末部支持体３４と、これらの管内支持体３２、末部支持体３４相互間で支持されることでセシウム等の放射性物質を捕集する捕集体１０とから形成されて成ることを特徴とする。
捕集体１０は、この捕集体１０の排水管Ｑ内側の前端側は管内支持体３２が、捕集体１０の後端側は末部支持体３４が介装されることで排水管Ｑにおける末部内に取り外し可能に内装されるようにして構成することができる。
【０００９】
以上のように構成されたこの考案に係る廃水用放射性物質の捕集除去具にあって、例えば一般家屋の屋根等において高圧洗浄機器等で洗浄した後の洗浄廃水中あるいは自然雨水中に含まれる放射性物質は、これを落下、流下させる雨樋Ｐあるいは排水管Ｑに配置の捕集除去具１，２１，３１によって捕集される。そして、捕集後の洗浄廃水はそのままで下水等に排水でき、また、洗浄作業終了後で雨樋Ｐあるいは排水管Ｑから取り外される捕集除去具１，２１，３１をそのまま所定方法で廃棄・保管することで、放射性物質による汚染を防止させる。
上下部のリング状の嵌合体２，６、捕集体１０から成る捕集除去具１は、これの長さに対応した長さで一部を切断除去した雨樋Ｐの所定箇所で上下に設けた上下部の嵌合体２，６によって配置でき、この雨樋Ｐ中を落下・流下する洗浄廃水中の放射性物質等を捕集させ、洗浄水中から除去させる。
上部嵌合体２、下部嵌合体６における支持主片部３，７及び捕集支持片部４，８が捕集体１０の上下部縁を上側あるいは下側、その外周から囲繞して捕集体１０を支持し、また、支持主片部３，７における内縁側が雨樋Ｐ自体の切断箇所を支持していると共に、支持主片部３，７及び雨樋支持片部５，９が雨樋Ｐの切断端部縁を下側あるいは上側、その外周から囲繞して雨樋Ｐを支持することで、捕集除去具１自体を雨樋Ｐの切断箇所でしっかりと接続介在させる。
また、雨樋Ｐの外周面を囲繞する雨樋支持片部５，９、捕集体１０の外周面を囲繞する捕集支持片部４，８によって、捕集体１０の濾材１１にて捕集した放射性物質等を外部に漏出させず、捕集、捕捉を確実にして、安全性を向上させ、雨樋Ｐの切断箇所での着脱作業を容易にさせる。
捕集除去具１は、洗浄後の洗浄廃水・自然雨水が排水案内される雨樋Ｐの任意箇所で切断除去した部位に置き換え配置させれば良く、洗浄後あるいは除染後では取り外し、そのまま廃棄、保管させれば済み、また、雨樋Ｐの切断箇所はその後に補修することで雨樋Ｐとしての使用を可能にさせる。
捕集除去具２１，３１において、排水管Ｑの末部側で、その上流側では管内支持体２２，３２が、下流側の末端開口部では末部支持体２５，３４がそれぞれ捕集体１０を支持させ、流下される洗浄廃水・自然雨水中の放射性物質等を排水管Ｑの末部で捕集させ、公共下水道への放射性物質等の排出を防止させる。
管内支持体２２、末部支持体２５、捕集体１０から成る捕集除去具２１では、管内支持体２２、末部支持体２５それぞれが内周面、外周面によって排水管Ｑ内で捕集体１０を排水管Ｑの中心側部位で支持し、汚染された洗浄廃水・自然雨水を捕集体１０内に通過させる。
捕集除去具３１において、排水管Ｑ内に配置された管内支持体３２は捕集体１０の前端側を、端部開口縁を挟み込んでいる末部支持体３４は捕集体１０の後端側をそれぞれ位置決めして捕集体１０を排水管Ｑ内で支持させる。管内支持体３２の案内テーパー面３３は、排水管Ｑ内で流れ落ちてくる洗浄廃水・自然雨水を捕集体１０内に集束させ、濾材１１による放射性物質の捕集作用を増大させる。
排水管Ｑの末部に内装される捕集除去具２１，３１は、排水管Ｑ内で流れる自然雨水・洗浄廃水中の放射性物質等を捕集し、例えば廃棄基準値内に抑制させることで、除染された放射性物質を含まない洗浄廃水を公共の下水道に排水させる。
捕集除去具２１，３１は、排水管Ｑの末部に内装させれば良く、洗浄後あるいは除染後では取り外し、そのまま廃棄、保管させれば済む。
【考案の効果】
【００１０】
この考案は以上説明したように構成されているため、主として一般家屋における屋根、雨樋等における放射性物質を洗浄、除去したときの洗浄廃水中、また自然雨水中に含まれる放射性物質等を排水管路（Ｐ，Ｑ）中で捕集でき、例えば雨樋Ｐの途中の任位置で雨樋Ｐを部分的に切断除去し、その除去部分に置き換えるようにして一時的に接続することで、あるいは排水管Ｑの末部に内装配置することで、例えば高圧洗浄機器の使用による洗浄、除去作業中に流下する洗浄廃水中の放射性物質を確実に捕集できる。また、洗浄作業の終了後では取り外し、そのまま所定方法で除去・廃棄することで安全に処理可能にし、放射性物質を含む洗浄廃水の下水への廃棄、更には周囲環境への飛散を阻止できる。しかも、洗浄、使用の終了後で取り外した後では雨樋Ｐを補修することで、あるいは排水管Ｑをそのままで従来同様な雨水処理を可能とさせる。
【００１１】
すなわちこれはこの考案において、自然雨水・洗浄廃水を排水案内させる排水管路（Ｐ，Ｑ）の任意箇所で、自然雨水・洗浄廃水を通水させる捕集体１０を上流側支持手段（２，２２，３２）、下流側支持手段（６，２５，３４）を介して配置し、この捕集体１０内の濾材１１によって自然雨水・洗浄廃水中のセシウム等の放射性物質を捕集するようにしたからであり、これによって、例えば家屋の屋根その他を洗浄した際の汚染された洗浄廃水更には自然雨水中の放射性物質等の確実な捕集・捕捉、捕集等した捕集体１０の安全な廃棄・保管、捕集後の洗浄水の排水、放射性物質等の周囲への飛散防止等を図ることができる。
【００１２】
また、雨樋Ｐにおける任意の切断箇所の上流側の下端に嵌め合わされる上部嵌合体２と、同じく雨樋Ｐの切断箇所の下流側の上端に嵌め合わされる下部嵌合体６と、これらの上下部の嵌合体２，６相互間で支持されてセシウム等の放射性物質を捕集する捕集体１０とから形成したことで、雨樋Ｐにおける任意の途中箇所で雨樋Ｐの部分的な切断除去部位と置き換えて取り付けることで、流れ落ちる洗浄廃水・自然雨水中の放射性物質等を捕集できる。
【００１３】
また、捕集体１０の上下には、捕集体１０の端部の縁部を囲繞するほぼドーナツ状に形成されていて、その端面の外縁部に沿っていると共に、内縁は雨樋Ｐの端面に位置している細幅なドーナツ板状を呈する支持主片部３，７と、捕集体１０の外周面に沿って外周面を囲繞するよう、支持主片部３，７の外縁から垂設されている捕集支持片部４，８と、雨樋Ｐの端部の外周面に沿って外周面を囲繞するよう、支持主片部３，７の内縁側に設けられている雨樋支持片部５，９とから一体形成される上下部の嵌合体２，６それぞれを配してあるから、雨樋Ｐの任意箇所で切断除去された部位に置き換えるように簡単に嵌め合わせ、装着できる。
【００１４】
しかも、嵌め合わせ後では、支持主片部３，７及び捕集支持片部４，８が捕集体１０の上下の縁部を断面でほぼＬ字状で囲繞しており、また支持主片部３，７及び雨樋支持片部５，９が雨樋Ｐの切断縁の端部を断面でほぼＬ字状で同様に囲繞しているから、雨樋Ｐの切断箇所で安定的に接続介在された状態で支持される。そればかりでなく、雨樋Ｐの外周面を雨樋支持片部５，９が、捕集体１０の外周面を捕集支持片部４，８がそれぞれ囲繞していることで、捕集体１０で捕集された放射性物質等の外部への飛散を阻止し、安全性を向上させている。
【００１５】
洗浄の終了後では、捕集除去具１は取り外されて所定方法で廃棄、保管されるものとすることで安全に処理でき、また切断除去箇所は通常の雨樋Ｐによって補修されることで、その後は雨樋Ｐとして使用するに何らの問題も生じない。
【００１６】
一方、排水管Ｑの末部で内装配置されるようにした捕集除去具２１では、排水管Ｑの末部側の排水管Ｑ内で、捕集体１０の上流側の開口部端面に当接する上流当接支持主片部２３に、内外周面で捕集体１０の外周面、排水管Ｑの内壁面それぞれに当接する断面で溝形状の管内支持部２４を連続させて成る管内支持体２２と、捕集体１０の下流側の開口部端面に当接する下流当接支持主片部２６に、内外周面で捕集体１０の外周面、排水管Ｑの内壁面それぞれに当接する断面で溝形状の末部支持部２７を連続させて成る末部支持体２５とで捕集体１０を排水管Ｑの末部で支持している。そのため、捕集体１０は排水管Ｑの末部側では、管内支持部２４、末部支持部２７それぞれが断面溝形であることと相俟ち、捕集体１０と排水管Ｑとの間に隙間を生じさせずに捕集体１０を排水管Ｑの中心側に寄せて位置決めでき、排水管Ｑによって案内されながら流下する洗浄廃水中の放射性物質等を確実に捕集できる。
【００１７】
また、捕集除去具３１では、外周面が排水管Ｑ内壁面に当接し、内周面が捕集体１０の前端側を当接支持し、案内テーパー面３３を形成した管内支持体３２と、排水管Ｑ末部の開口端部で、断面でＵ字状で内縁によって捕集体１０の後端側を支持する末部支持体３４と、これらの管内支持体３２、末部支持体３４相互間で支持される捕集体１０とから形成されていることで、排水管Ｑの末部、例えば公共下水道等への排水箇所で放射性物質等を捕集でき、下水道に放射性物質等を排出させることがない。
【００１８】
しかも、捕集体１０は、これの前端側では、排水管Ｑ末部側に至るに伴い次第に小径となる案内テーパー面３３を形成したリング状の管内支持体３２によって支持され、後端側では、排水管Ｑ末部の開口端縁を挟み込む断面でＵ字状を呈すると共に、内縁によって捕集体１０の後端側を支持するリング状の末部支持体３４によって支持されるから、排水管Ｑの末部内に簡単に装入でき、装入後では外れることもなく安定した装着状態が維持される。また、案内テーパー面３３は、流れてくる洗浄廃水・自然雨水等を捕集体１０の中心・内方側に案内し、捕集体１０内の濾材１１に確実に送り込むことで、汚染後の洗浄廃水・自然雨水中の放射性物質等を確実に捕集させることができる。
【００１９】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００２０】
【図１】この考案を実施するための一形態を示す使用状態時における一部切欠分解斜視図である。
【図２】同じく一部省略の使用状態時の断面図である。
【図３】同じく他の実施の形態における使用状態時の断面図である。
【図４】同じく排水管の末部側に内装配置される他の実施の形態における使用状態時の側断面図である。
【図５】同じくその排水管の末部側に内装配置される上記の実施の形態における一部省略の使用状態時の要部断面図である。
【図６】同じく排水管の末部側に内装配置される更なる他の実施の形態における一部省略の使用状態時の要部断面図である。
【考案を実施するための形態】
【００２１】
以下、図面を参照してこの考案を実施するための一形態を説明すると、図１乃至図３において示される符号１は例えば一般家屋、建屋に設置される雨樋Ｐの縦樋部分に着脱自在に配置されるこの考案に係る捕集除去具である。この捕集除去具１は、雨樋Ｐを所定長さ例えば２５０ｍｍ程度で切断除去する部位に、その切断除去部分に代えて接続されるもので、この雨樋Ｐの切断箇所の上流側である上方部分の下端に嵌め合わされるリング状の上部嵌合体２と、同じく雨樋Ｐの切断箇所の下流側である下方部分の上端に嵌め合わされるリング状の下部嵌合体６と、これらの上部嵌合体２、下部嵌合体６相互間で支持されることで、洗浄廃水・自然雨水等に含まれるセシウム等の放射性物質を捕集する捕集体１０とから形成されて成る。
【００２２】
捕集除去具１の上部嵌合体２は、捕集体１０の上端部の縁部を囲繞するほぼドーナツ状に形成されていて、上端面の外縁部に沿っていると共に、内縁は雨樋Ｐの下端面に位置している細幅なドーナツ板状を呈する支持主片部３と、捕集体１０の外周面に沿って外周面を囲繞するよう、支持主片部３の外縁から垂設されている捕集支持片部４と、雨樋Ｐの下端部の外周面に沿って外周面を囲繞するよう、支持主片部３の内縁側に立設されている雨樋支持片部５とから、例えば所定肉厚の合成樹脂にて一体形成されている。
【００２３】
支持主片部３は、雨樋Ｐの外径と捕集体１０の外径とが相違するときの、その相違分に相当する幅員に対応する細幅なドーナツ板状を呈し、例えば大径側である捕集体１０における上端面の外縁に沿って配置され、その内縁側は少なくとも雨樋Ｐの縦部分における切断部位の下端面に当接している。
【００２４】
捕集支持片部４は、捕集体１０の外周面を囲繞する高さが低い筒状を呈し、雨樋支持片部５は、捕集体１０の外周面を囲繞するに足りる高さが低い筒状を呈しており、例えばその筒高さは１０〜２０ｍｍ程度に形成されている。
【００２５】
また、雨樋Ｐの切断箇所の下方部分に捕集体１０を連結支持させる前記下部嵌合体６は、捕集体１０の下端部の縁部を囲繞するほぼドーナツ状に形成されていて、下端面の外縁部に沿っていると共に、内縁は雨樋Ｐの上端面に位置している細幅なドーナツ板状を呈する支持主片部７と、捕集体１０の外周面に沿って外周面を囲繞するよう、支持主片部７の外縁から立設されている捕集支持片部８と、雨樋Ｐの上端部の外周面に沿って外周面を囲繞するよう、支持主片部７の内縁側に立設されている雨樋支持片部９とから、例えば所定肉厚の合成樹脂にて一体形成されている。
【００２６】
この下部嵌合体６は、上部嵌合体２を上下方向で反転させた同一構造となっており、実際的には上部嵌合体２あるいは下部嵌合体６を上下方向で反転させて捕集体１０の上下で対状に配置することによって使用されるもので、上部嵌合体２についての上記の説明によって、下部嵌合体６自体の詳細な構成の説明は省略される。
【００２７】
捕集体１０は、例えばセシウム等の放射性物質を捕捉・捕集するに足る孔径を備えた濾材１１を筐体１２内に充填封入して成り、これの上部は前記上部嵌合体２が、下部は下部嵌合体６が連結介在されることで、雨樋Ｐにおける切断除去部位で雨樋Ｐに取り外し可能にして置き換えられるものとなっている。濾材１１自体が備えている捕集のための孔径は、セシウムが塵埃等と一体化したことでその粒径が１０〜２０マイクロメートル（μｍ）であるところを考慮して、５マイクロメートル程度のものとしてあり、例えば繊維状のポリプロピレン（ＰＰ）としてある。もとより、濾材１１自体の材質はこのポリプロピレンに限らず、放射性物質を捕集できるものであればガラス繊維フィルター、メンブレンフイルターその他によって代えることも可能である。
【００２８】
筐体１２自体は、例えば雨樋Ｐの外径に比し大径にした円筒状に形成されており、汚染された洗浄廃水が通過されるときに、この洗浄廃水中の放射性物質を捕集するに十分な通過長さに設定されていて、例えば高さを２５０ｍｍ程度としてある。もとより、この筐体１２の長さ、すなわち濾材１１の厚さはこれに限定されないことは勿論であり、これの外径大きさも雨樋Ｐの外径とほぼ同一であるか、これよりも小径とされることもある。
【００２９】
次にこれの使用の一例を説明すると、図１に示すように例えば放射性物質等で汚染されていると思われる家屋における屋根、雨樋Ｐ等を高圧洗浄機器等で洗浄し、除去するに際し、濾材１１が筐体１２内に充填封入されている捕集体１０の上下に、上部嵌合体２、下部嵌合体６を連結して捕集除去具１となしておく。次いで、雨樋Ｐの縦樋部分の適当な箇所で、その部位の雨樋Ｐ部分を捕集除去具１の長さに対応して切断除去し、切断除去した部位の代わりに捕集除去具１を嵌め合わせ接続する。この接続に際し、切断箇所の上方部分の下端には上部嵌合体２を、同じく下方部分の上端には下部嵌合体６を雨樋Ｐを傾けながらも強制的に嵌め合わせる。その後は、洗浄作業中に落下、流下する洗浄廃水は雨樋Ｐ中の捕集除去具１を経ることで、これに含まれている放射性物質等は濾材１１によって捕集され、清浄水として排水される。屋根、雨樋Ｐ等に対する洗浄作業の終了後では、捕集除去具１を取り外して、放射性物質等の廃棄基準に応じて保管、廃棄されれば良く、また捕集除去具１を取り外し後の雨樋Ｐの切断部位では通常使用に対応するように新たな雨樋Ｐ部品を接続し、補修する。
【００３０】
また、雨樋Ｐ部分に常時取り付けておき、その雨樋Ｐを落下、流水する自然雨水中に含まれる放射性物質等を捕集するようにしても良く、適宜な期間を経て交換設置するようにすることで、公共的な下水道への放射性物質等の排出を防止できる。
【００３１】
また、図３においては縦方向に設置されている雨樋Ｐにおいて使用される他の実施の形態が示されており、この実施の形態では、雨樋Ｐの外径に比し小径な捕集体１０を接続配置するようにした場合である。上記の実施の形態とは、捕集体１０の径が異なるのみで、基本的構成は異ならないので、同一の符号を付記することで詳細な説明は省略される。
【００３２】
尚、この使用例において、この考案に係る捕集除去具１は、雨樋Ｐにおける縦樋部分で置き換え使用するものとして説明したが、雨樋Ｐの水平樋部分でも同様に使用できるのであり、その説明は省略される。
【００３３】
図４乃至図６においては、例えば雨樋Ｐに接続される集水桝Ｒを経て、またオーバーフローを生じないように排水量をある程度で制限するよう排水管Ｑの流入口を小径にすることで、公共下水道、例えばその落蓋式Ｕ字溝等の下水溝Ｕ等に接続される排水管Ｑの末部の開口端部分に内装状態で配置される場合の実施の形態を示している。すなわち、図４、図５に示す実施の形態における捕集除去具２１は、捕集体１０を排水管Ｑの末部に内装固定するようにしている。そのため、捕集体１０の上流側の開口部端面に当接する上流当接支持主片部２３に、外周面が排水管Ｑ内壁面に当接し、内周面が捕集体１０の前端側外周面に当接支持する断面で溝形状の管内支持部２４をこの管内支持部２４の奥部壁を上流当接支持主片２３に連続させて成る管内支持体２２と、捕集体１０の下流側の開口部端面に当接する下流当接支持主片部２６に、外周面が排水管Ｑ末部の開口部内壁面に当接し、内周面が捕集体１０の後端側外周面に当接支持する断面で溝形状の末部支持部２７をこの末部支持部２７の内周壁を下流当接支持主片部２６に連続させて成る末部支持体２５とを備え、これらの管内支持体２２、末部支持体２５相互間で支持されることでセシウム等の放射性物質を捕集する捕集体１０を固定支持するようにしてある。
【００３４】
管内支持体２２は、上流当接支持主片部２３に、奥部外側面が排水管Ｑの上流側に向けられている断面で溝形状の管内支持部２４を、この管内支持部２４の奥部を面一状に一体化した構成として形成され、管内支持部２４が捕集体１０と排水管Ｑとの間隙内に強制的に嵌め込まれるようにしてある。
【００３５】
末部支持体２５は、下流当接支持主片部２６に、奥部外側面が公共下水道側に向けられている断面で溝形状の末部支持部２７を、この末部支持部２７の内周壁によって接続一体化した構成として形成され、管内支持体２２と同様に捕集体１０と排水管Ｑとの間隙内に強制的に嵌め込まれる。そして、嵌め込まれた際には末部支持体２５における末部支持部２７の奥部側が排水管Ｑの末部の開口端から若干の長さで外出しているようにされ、捕集体１０の濾材１１によって放射性物質等を十分に捕集した後では、これを取り外し、また排水管Ｑ内に装入するよう交換する際の作業者によって摘むことができるように配慮してある。
【００３６】
このようにして、捕集体１０は、前端側は管内支持体２２が、後端側は末部支持体２５が介装されることで排水管Ｑにおける末部内に強制的に取り外し可能にして内装されるようにしてある。
【００３７】
また、図６においての捕集除去具３１は、排水管Ｑの末部側で、外周面が排水管Ｑ内壁面に当接し、内周面が捕集体１０の前端側の外周面を当接支持すると共に、前端側に排水管Ｑ末部側に至るに伴い次第に小径となる案内テーパー面３３を形成したリング状の管内支持体３２と、排水管Ｑ末部の開口端部で、開口端縁を挟み込む断面でＵ字状を呈すると共に、内縁によって捕集体１０の後端側を支持するリング状の末部支持体３４とを備え、これらの管内支持体３２、末部支持体３４相互間で支持されることでセシウム等の放射性物質を捕集する捕集体１０を固定支持するようにしてある。
【００３８】
管内支持体３２は、捕集体１０と排水管Ｑとの間隙を、捕集体１０の周囲を強制的に囲繞することで閉塞するような肉厚幅員に形成され、中実あるいは中空にして形成される。案内テーパー面３３は、排水管Ｑ内で上流側から流れくる洗浄水を捕集体１０の外側に漏出案内することなく、捕集体１０内部の濾材１１内に導入させるようにしている。
【００３９】
末部支持体３４は、排水管Ｑの末部の開口端縁を挟み込んだ内周壁部分は、捕集体１０と排水管Ｑとの間隙に対応する肉厚幅員を備えており、開口端縁部位で捕集体１０をがたつかせることなく固定保持している。
【００４０】
このようにして、捕集体１０は、前端側は管内支持体３２が、後端側は末部支持体３４が介装されることで排水管Ｑにおける末部内に強制的に取り外し可能にして内装されるようにしてある。
【符号の説明】
【００４１】
Ｐ…雨樋                                Ｑ…排水管
Ｒ…集水枡                              Ｕ…下水溝
１…捕集除去具                          ２…上部嵌合体
３…支持主片部                          ４…捕集支持片部
５…雨樋支持片部                        ６…下部嵌合体
７…支持主片部                          ８…捕集支持片部
９…雨樋支持片部
１０…捕集体                            １１…濾材
１２…筐体
２１…捕集除去具                        ２２…管内支持体
２３…上流当接支持主片部                ２４…管内支持部
２５…末部支持体                        ２６…下流当接支持主片部
２７…末部支持部
３１…捕集除去具                        ３２…管内支持体
３３…案内テーパー面                    ３４…末部支持体
【図１】
0003175097.tif 000003
【図２】
0003175097.tif 000004
【図３】
0003175097.tif 000005
【図４】
0003175097.tif 000006
【図５】
0003175097.tif 000007
【図６】
0003175097.tif 000008
【手続補正書】
【提出日】平成24年2月14日(2012.2.14)
【手続補正１】
【補正対象書類名】図面
【補正対象項目名】図６
【補正方法】変更
【補正の内容】
【図６】
0003175097.tif 000009